(57)【要約】【課題】本発明は、プラットホームとその上方に設けられた通路とを傾斜型乗客コンベアで結んだ駅舎に対する耐震性を向上し得る通路設備を提供することにある。【解決手段】本発明は、下部通路（３）の上方に上部通路（５）を有し、これら下部通路（３）と上部通路（５）とを傾斜型乗客コンベア（７Ａ，７Ｂ）で接続してなる通路設備において、複数の傾斜型乗客コンベア（７Ａ，７Ｂ）を、前記上部通路（５）を両側から挟むように設置したのである。  このように上部通路（５）を両側から挟むように傾斜型乗客コンベア（７Ａ，７Ｂ）を設置することで、地震時における通路の揺れは、両側の傾斜型乗客コンベアによって阻止できるので、建築構造物に対する耐震性を向上し得ることができる。【選択図】図１
2007186269.tif 000002
【特許請求の範囲】
【請求項１】
下部通路の上方に上部通路を有し、これら下部通路と上部通路とを傾斜型コンベアで接続して構成した通路設備において、複数の傾斜型乗客コンベアを、前記上部通路を両側から挟むように設置したことを特徴とする通路設備。
【請求項２】
プラットホームの上方に通路を有し、これらプラットホームと通路とを傾斜型乗客コンベアで接続してなる通路設備において、複数の傾斜型乗客コンベアを、前記通路を両側から挟むように設置したことを特徴とする通路設備。
【請求項３】
下階側にプラットホームを有し、上階側に支柱で支持された通路を有し、これらプラットホームと通路とを傾斜型乗客コンベアで接続してなる通路設備において、前記傾斜型乗客コンベアを、前記通路を挟んで対向するように複数台設置したことを特徴とする通路設備。
【請求項４】
前記通路を挟んで対向する複数台の傾斜型乗客コンベアは、前記プラットホームの長手方向に沿って一直線上に設置されていることを特徴とする請求項２又は３記載の通路設備。
【請求項５】
下階側に設けられた複数のプラットホームと、上階側に設けられ前記複数のプラットホーム上に形成された共通の通路と、これら複数のプラットホームと共通の通路とを結ぶ傾斜型乗客コンベアとを備えた通路設備において、複数の傾斜型乗客コンベアを、前記共通の通路を両側から挟むように設置したことを特徴とする通路設備。
【請求項６】
前記傾斜型乗客コンベアを、各プラットホーム毎に、前記共通の通路を挟んで対向するように少なくとも２台配置したことを特徴とする請求項５記載の通路設備。
【請求項７】
前記プラットホームと前記通路間に補強体を連結し、この補強体で前記傾斜型乗客コンベアの荷重を分担するように構成されていることを特徴とする請求項２，３，４，５又は６記載の通路設備。
【発明の詳細な説明】
【技術分野】
【０００１】
本発明は通路設備に係り、特に、下部通路と上部通路とを傾斜型乗客コンベアで結ぶ通路設備に関する。
【背景技術】
【０００２】
一般に駅舎において、下部通路であるプラットホームとその上方に設けられた上部通路とを結ぶ通路としてエスカレーターを、プラットホームと通路間に跨って設置することは、特許文献１に示すように、周知の技術である。
【０００３】
【特許文献１】特開２００１−２２６０６１号公報
【発明の開示】
【発明が解決しようとする課題】
【０００４】
上記特許文献１に記載の周知の技術は、地震時にプラットホームと通路間の間隔が変位し、設置されたエスカレーターが塑性変形したり、エスカレーターの上端が通路から脱落して落下したりする虞がある。そのために、プラットホームと通路間の間隔が変位しても塑性変形や容易に脱落しないようにエスカレーターを頑丈に製造して設置している。
【０００５】
しかし、エスカレーターの改善は、エスカレーターを設置すべき駅舎が耐震構造となっていることが前提の対策であり、そのため、地震時の際、駅舎が損傷しては意味がない。
【０００６】
本発明の目的は、下部通路とその上方に設けられた上部通路とを傾斜型乗客コンベアで結んだ構成において、上部通路に対する耐震性を向上し得る通路設備を提供することにある。
【課題を解決するための手段】
【０００７】
本発明は上記目的を達成するために、下部通路の上方に上部通路を有し、これら下部通路と上部通路とを傾斜型乗客コンベアで接続してなる通路設備において、複数の傾斜型乗客コンベアを、前記上部通路を両側から挟むように設置したのである。
【０００８】
このように下部通路の上方に設置された上部通路を両側から挟むように傾斜型乗客コンベアを設置することで、地震時における傾斜型乗客コンベアの設置方向に対する上部通路の揺れによる変位は、両側の傾斜型乗客コンベアによって阻止できるので、上部通路を有する建築構造物に対する耐震性を向上し得ることができる。
【発明の効果】
【０００９】
以上説明したように本発明によれば、下部通路とその上方に設けられた上部通路とを傾斜型乗客コンベアで結んだ建築構造物に対する耐震性を向上し得る通路設備を得ることができる。
【発明を実施するための最良の形態】
【００１０】
以下本発明による通路設備を図１及び図２に示す駅舎用通路設備に基づいて説明する。
【００１１】
本実施の形態による駅舎１は、下部通路を構成し鉄道車両やモノレール等が走行する軌道２Ａ，２Ｂに沿って並設された複数のプラットホーム３（図中では一つのプラットホームを示している）と、これらプラットホーム３や地面から立設された複数の支柱４でプラットホーム３の上方に設けられた各プラットホーム共通の通路（上部通路）５と、前記支柱４あるいは前記通路５から立設された支柱で支持された屋根６と、前記プラットホーム３と前記通路５との間に跨って設置された傾斜型乗客コンベアであるエスカレーター７Ａ,７Ｂとを備えている。
【００１２】
このような形体の駅舎１において、前記エスカレーター７Ａ,７Ｂを、軌道２Ａ,２Ｂの敷設方向と略平行、云い代えればプラットホーム３の長手方向に沿って設置し、前記プラットホーム３と前記通路５とを結ぶ通路としている。そして、これらエスカレーター７Ａ,７Ｂは、前記通路５を挟むようにこの通路５の両側に設置されている。これらエスカレーター７Ａ,７Ｂの設置は、夫々の上部８Ａ,８Ｂを前記通路５の両側に固定し、夫々の下部９Ａ,９Ｂをプラットホーム３に設けたピット１０Ａ,１０Ｂ内に固定する。そして、図２に示すように、平面から見て両側のエスカレーター７Ａ,７Ｂがプラットホーム３の長手方向に沿って一直線上に並ぶように設置することが望ましい。しかしながら、プラットホーム３や通路５に設けられる構造物の有無によっては、必ずしも両側のエスカレーター７Ａ,７Ｂを一直線上に並ばせる必要はないが、一つのプラットホーム３に対して、２つのエスカレーター７Ａ,７Ｂで通路５を両側から挟むように配置することが必須である。
【００１３】
このように、駅舎１の共通の通路５に対してエスカレーター７Ａ,７Ｂを両側から対向させるように設置することで、これらエスカレーター７Ａ,７Ｂが通路５に対して傾斜梁として機能するので、通路５の耐震性を向上させることができる。即ち、図１において、地震時に、通路５が矢印ＦＬ方向に変位しようとすると、エスカレーター７Ａが傾斜梁として機能してその変位力を受けるので、通路５の変位は抑制される。また、通路５が矢印ＦＲ方向に変位しようとすると、エスカレーター７Ｂが傾斜梁として機能してその変位力を受けるので、通路５の変位は抑制される。これにより、結果的に揺れの少ない、耐震性が向上した駅舎１が実現できる。
【００１４】
したがって、駅舎１自体に耐震構造を採らなくても、エスカレーター７Ａ,７Ｂを通路５の両側に配置することで駅舎１の耐震性を向上させることができ、さらに耐震構造を採用した駅舎１においてはさらなる耐震性を増すことができる。
【００１５】
上記駅舎１の耐震性の向上と同時に、通路５の変位が抑制されることにより、通路５の端とプラットホーム３のピット１０Ａ,１０Ｂ間の寸法変化がなくなるので、これら寸法の拡大によって従来懸念されていたエスカレーター７Ａ,７Ｂの通路５との係合の離脱による落下事故を防止することができる。
【００１６】
ところで、上記実施の形態においては、通路５を挟んで両側に設置されるエスカレーター７Ａ,７Ｂは、一直線上に並べること、あるいは、必ずしも一直線上に並べる必要はないが、一つのプラットホーム３に対して、２つのエスカレーター７Ａ,７Ｂで通路５を両側から挟むように配置することを説明したが、これらに特定されるものではなく、例えば幅が広いプラットホームの場合には複数のエスカレーターをジグザグ（千鳥）状に配置して通路５を挟むように設置してもよい。さらに、プラットホーム３の本数が多い駅舎においては、隣接するプラットホーム間でエスカレーターの設置方向を逆にし、全体として略同数のエスカレーターが通路の両側に配置されるようにしてもよい。
【００１７】
さらに、プラットホーム３と通路５間の階高が大きい場合には、プラットホーム３と通路５間に補強体を連結し、この補強体でエスカレーターの荷重を分担するように構成することで、この補強体も通路５の抑制する傾斜梁として機能するので、駅舎１の耐震性をより向上することができる。
【００１８】
上記実施の形態において、プラットホーム３と通路５を結ぶ手段としてエスカレーター７Ａ,７Ｂを設置したが、これらエスカレーター７Ａ,７Ｂの代わりに、傾斜型の電動道路を設置しても良い。
【００１９】
この他、上記実施の形態は、通路設備として駅舎用通路設備について説明したが、例えば一般通路（下部通路）よりも高位置にある建築構造物上のコンコース（上部通路）をエスカレーターで接続する場合においても、コンコースへのエスカレ−ターの設置をコンコースの両側に設置することで、コンコースが設けられた建築構造物の耐震性を向上することができる。
【図面の簡単な説明】
【００２０】
【図１】本発明の通路設備としてエスカレーターを設置した駅舎を示す概略側面図。
【図２】図１のＡ−Ａ線に沿う横断平面図。
【符号の説明】
【００２１】
１…駅舎、３…プラットホーム、５…通路、７Ａ,７Ｂ…エスカレーター。
【図１】
2007186269.tif 000003
【図２】
2007186269.tif 000004